(57)【要約】【課題】竪樋支持具の段ボール箱の梱包スぺースと梱包材料の節約が可能な竪樋支持具を提供することを目的とする。【解決手段】竪樋の外周を保持する保持部材１１と、該保持部材１１に一端が連結され他端を建築物の壁面に打ち込んで固定する打ち込み支脚１２とから構成される竪樋支持具１０であって、前記打ち込み支脚１２の途中部に１個または複数個のリング体１６が設けられている。【選択図】      図１
2004346666.tif 000002
【特許請求の範囲】
【請求項１】
竪樋の外周を保持する保持部材と、該保持部材に一端が連結され他端を建築物の壁面に打ち込んで固定する打ち込み支脚とから構成される竪樋支持具であって、前記打ち込み支脚の途中部に１個または複数個のリング体が設けられていることを特徴とする竪樋支持具。
【発明の詳細な説明】
【０００１】
【発明の属する技術分野】
本発明は、建築物の屋根からの雨水を集める軒樋に連結される竪樋を壁面に固定する竪樋支持具に係り、特に、竪樋支持具を所定量まとめて梱包するのに便利な竪樋支持具に関する。
【０００２】
【従来の技術】
従来、この種の竪樋支持具としては、竪樋を保持する枠状の保持部に、一端が連結され他端を建築物の壁面に打ち込んで固定する釘状の支脚が設けられたものが知られている（例えば、特許文献１を参照。）。
この竪樋支持具Ａは、例えば図５に示すように、保持部ａは支持具本体ｂと閉合体ｃとから構成され、支持具本体ｂの中央部外面に丸釘状の支脚ｄが設けられたものである。
【０００３】
【特許文献１】
実公平６−４３３２３号公報（図４の従来品）
【０００４】
【発明が解決しようとする課題】
ところで、上記の特許文献１に記載された竪樋支持具Ａにおいては、工場から出荷するときに、例えば５０個を纏めて段ボール箱に詰めて工事店に配送されるこが多い。この場合、図６に示すように、５個の竪樋支持具Ａの支脚ｄを段ボールｅの段空間部にそれぞれ挿入し、５個一単位として纏めた竪樋支持具付きの段ボールｅを形成し、この竪樋支持具付きの段ボールｅを１０枚重ねて、図示しない段ボール箱に詰めてテープ封緘して出荷しているが、竪樋支持具Ａを段ボールｅとともに集積して梱包するために容積が嵩張り輸送・保管コストが上昇し、しかも、段ボールｅが梱包廃材として発生し、その廃材を回収するのに費用がかかるという問題があった。
【０００５】
本発明は、このような従来の竪樋支持具における問題点に着目してなされたものであり、その目的とするところは、従来の問題点を解決し、竪樋支持具の段ボール箱の梱包スぺースと梱包材料の節約が可能な竪樋支持具を提供することにある。
【０００６】
【課題を解決するための手段】
前記目的を達成すべく、本発明に係わる竪樋支持具は、竪樋の外周を保持する保持部材と、該保持部材に一端が連結され他端を建築物の壁面に打ち込んで固定する打ち込み支脚とから構成される竪樋支持具であって、前記打ち込み支脚の途中部に１個または複数個のリング体が設けられていることを特徴とする。
【０００７】
本発明において、打ち込み支脚に設けられるリング体としては、特に限定しないが、円形または三角、四角、六角等の多角形のリング形状で、紐等の結束材が挿通可能な開口穴が設けられものであればよい。
【０００８】
この構成によれば、竪樋支持具の打ち込み支脚には、途中部にリング体が設けられているので、複数個の竪樋支持具を積み重ねてから，それぞれのリング体の開口穴に紐等の結束材を挿通して結束すると、竪樋支持具の複数個一単位として結束梱包が可能となり、段ボール箱へ箱詰めしたときに、梱包スぺースを少なくすることができる。
【０００９】
【発明の実施の形態】
以下、本発明に係る竪樋支持具の実施形態を図面に基づき詳細に説明する。
図１は本発明に係る竪樋支持具を説明する図であって、同図（ａ）  は側面図、同（ｂ）  は平面図、図２は本発明に係る竪樋支持具を集積して結束した状態を示す梱包の説明図である。
【００１０】
図１〜２において、竪樋支持具１０は、竪樋の外周を保持する保持部材１１と、保持部材１１に一端が連結される打ち込み支脚１２とから構成され、打ち込み支脚１２の他端を建築物の壁面に打ち込んで固定するものである。保持部材１１は固定片１３と、固定片１３に一端が揺動可能に支持され、他端が固定片１３の他端に係止される可動片１４とから構成される。
【００１１】
固定片１３及び可動片１４は、数ｍｍ厚の金属板材を折り曲げて形成したものであり、竪樋の外周に保持部材１１の内周が接して竪樋を保持する。固定片１３は半円形状に湾曲して、一端にヒンジ部１３ａを形成し、他端に係止爪部１３ｂを形成してある。また可動片１４は、半円形状に湾曲して、一端にヒンジ受部１４ａを、他端に爪受部１４ｂを形成してある。
【００１２】
打ち込み支脚１２は円柱状部と先細の先端部とから構成され、根元が保持部材１１の固定片１３に固着されている。先端部を建築物の壁面に当て、根元が固着された保持部材１１の固定片１３を打撃することで、打ち込み支脚１２を壁面に打ち込むことができる。
【００１３】
打ち込み支脚１２の円柱状部は、途中部に開口穴１５が形成された円環状のリング体１６が設けられている。このリング体１６の開口穴１５は竪樋が保持される保持部材１１の開口面と同一平面状に形成されている。このように打ち込み支脚１２の途中部にリング体１６を設けると、支脚１６が壁面に打ち込まれたときにリング体１６により打ち込み深さが阻止されるので、一定の打ち込み深さに揃えることができ、竪樋を支持したときに曲がることなく外観を美麗とすることができる。
【００１４】
リング体１６の大きさは、特に限定するものでないが、外径が保持部材１１の幅ｈよりも僅か小さめが好ましい。またリング体１６の開口穴１５は、本例では直径が５ｍｍ程度のものが開口されている。
【００１５】
なお、打ち込み支脚１２は円柱状部と先端部で構成されたものに限らず、角柱状部と先端部で構成されたものや、先端を尖らせた板状片で形成してもよい。
【００１６】
前記の如く構成された本実施形態の竪樋支持具１０を集積して梱包する方法について、図２及び図３を参照して説明する。
【００１７】
先ず、竪樋支持具１０を５個積み重ねてから、リング体１６の開口穴１５に紐２０を挿通し、締めつけた状態で結束する。５個結束された竪樋支持具１０を１０セット、図３に示すように、互い違いに配列して段ボール箱３０内に詰め込み、段ボール箱３０の蓋をテープ封緘すればよい。
【００１８】
以上、本発明の実施の形態を図面により詳述してきたが、具体的な形態はこの実施の形態に限られものではなく、本発明の要旨を逸脱しない範囲における設計の変更等があっても本発明に含まれる。
【００１９】
例えば、実施の形態では、リング体１６の開口穴１５は、竪樋の外周を保持する保持部材１１の開口面と、同一平面となるよう開口されているが、図４に示すように、開口面と直交する側面に設けてもよい。この場合、５個積み重ねた竪樋支持具１０には、先細突起４１が連設して形成された連結材４０を用いて、竪樋支持具１０の側面から先細突起４１をリング体１６の開口穴１５に挿着するようにしてもよい。
【００２０】
【発明の効果】
本発明の竪樋支持具によれば、竪樋の外周を保持する保持部材と、該保持部材に一端が連結され他端を建築物の壁面に打ち込んで固定する打ち込み支脚とから構成される竪樋支持具であって、前記打ち込み支脚の途中部に１個または複数個のリング体が形成されているので、竪樋支持具を所定数量集積して、リング体の開口穴に紐等の結束材を挿通して結束することにより、コンバクトな内装梱包が可能となり、内装の梱包材料が節約でき、しかも、段ボール箱へ箱詰めしたときに、箱詰めのスペースを逓減することができる。
また、竪樋支持具の複数個一単位として結束するときの梱包資材が節約できるので、廃材を回収する費用が少なくてすむ。
【図面の簡単な説明】
【図１】本発明に係る竪樋支持具を説明する図で、同図（ａ）  は側面図、同図（ｂ）  は平面図である。
【図２】本発明に係る竪樋支持具を集積して結束した状態を示す梱包の説明図である。
【図３】同上の結束した竪樋支持具を段ボール箱に詰めた状態を説明する図である。
【図４】本発明に係る竪樋支持具の変形例を説明する側面図である。
【図５】従来例の竪樋支持具を説明する図で、同図（ａ）  は側面図、同図（ｂ）  は平面図である。
【図６】従来例の竪樋支持具の梱包の説明図である。
【符号の説明】
１０        竪樋支持具
１１        保持部材
１２        打ち込み支脚
１５        開口穴
１６        リング体
２０、４０  結束材（連結材）
３０        段ボール箱
【図１】
2004346666.tif 000003
【図２】
2004346666.tif 000004
【図３】
2004346666.tif 000005
【図４】
2004346666.tif 000006
【図５】
2004346666.tif 000007
【図６】
2004346666.tif 000008